(57)【要約】      （修正有）【課題】お湯や水を注ぐだけでお茶などを飲める湯飲みを提供する。【解決手段】湯飲みは、内部容器２と外部容器３を備えている。内部容器３は、内部容器上縁部２１と内部容器第一側縁部２２と内部容器第二側縁部２３を有する。内部容器上縁部２１は、内部容器２の上縁に形成されている。内部容器第一側縁部２２は、内部容器上縁部２１の下部に形成されている。内部容器第二側縁部２３は、内部容器第一側縁部２２の下部に形成されている。外部容器３は、外部容器側縁部３１と外部容器底面部３２を有する。外部容器側縁部３１は、外部容器の側縁に形成されている。外部容器底面部３２は、外部容器側縁部３１の下部に形成されている。内部容器２と外部容器３は、内部容器第一側縁部２２が外部容器側縁部３１に嵌入することによって係合する。【選択図】図１
2013158510.tif 000002
【特許請求の範囲】
【請求項１】
お茶を飲むための湯飲みであって、
内部容器と外部容器を備えており、
前記内部容器は、内部容器上縁部と内部容器第一側縁部と内部容器第二側縁部を有し、
前記内部容器上縁部は、前記内部容器の上縁に形成されており、
前記内部容器第一側縁部は、前記内部容器上縁部の下部に形成されているとともに、内表面に内部容器第一側縁内表面部を有し、外表面に内部容器第一側縁外表面部を有し、
前記内部容器第二側縁部は、前記内部容器第一側縁部の下部に形成されているとともに、
内表面に内部容器第二側縁内表面部を有し、外表面に内部容器第二側縁外表面部を有し、
前記内部容器第二側縁内表面部と前記内部容器第二側縁外表面部の間に内部容器第二側縁開口部が２以上形成されており、
前記外部容器は、外部容器側縁部と外部容器底面部を有し、
前記外部容器側縁部は、前記外部容器の側縁に形成されているとともに、内表面に外部容器側縁内表面部を有し、外表面に外部容器側縁外表面部を有し、
前記外部容器底面部は、前記外部容器側縁部の下部に形成されているとともに、内表面に外部容器底面内表面部を有し、外表面に外部容器底面外表面部を有し、
前記内部容器と前記外部容器は、前記内部容器第一側縁部が前記外部容器側縁部に嵌入することによって係合することを特徴とする湯飲み。
【請求項２】
内部容器上縁下端部が、前記内部容器上縁部の下端に形成されており、
外部容器側縁上端部が、前記外部容器側縁部の上端に形成されており、
前記内部容器上縁下端部と前記外部容器側縁上端部は、接触して係止することを特徴とする請求項１に記載の湯飲み。
【請求項３】
内部容器上縁凹部が、前記内部容器上縁部に形成されていることを特徴とする請求項１、あるいは、請求項２のうちのいずれか１つに記載の湯飲み。
【請求項４】
内部容器底面部が、前記内部容器第二側縁部の下部に形成されており、
前記内部容器底面部は、内表面に内部容器底面内表面部を有し、外表面に内部容器底面外表面部を有し、前記内部容器底面内表面部と前記内部容器底面外表面部の間に内部容器底面開口部が形成されていることを特徴とする請求項１、ないしは、請求項３のうちのいずれか１つに記載の湯飲み。
【請求項５】
取っ手が前記外部容器側縁外表面部に形成されていることを特徴とする請求項１、ないしは、請求項４のうちのいずれか１つに記載の湯飲み。
【発明の詳細な説明】
【技術分野】
【０００１】
本発明は、お湯や水を注入するだけでお茶などを飲める湯飲みに関する。
【背景技術】
【０００２】
お茶を飲む際には、急須にお茶の原材料を入れてから、やかんなどで生成したお湯を注入して、急須の内部でお茶を生成して、急須の内部で生成されたお茶を湯飲みに注いで飲むことが多い。
水だしのお茶を飲む際には、冷水ポットにお茶の原材料を入れてから、水道などから水を注入して、冷水ポットの内部で水だしのお茶を生成して、冷水ポットの内部で生成された水だしのお茶を湯飲みに注いで飲むことが多い。
お茶には、日本茶、紅茶、中国茶、ハーブティ、麦茶、コーヒーなどのありとあらゆる種類のお茶がある。
お茶の原材料には、日本茶、紅茶、中国茶、ハーブティなどのお茶の茶葉や麦茶用の麦やコーヒー豆などありとあらゆる種類のお茶の原材料がある。
【０００３】
背景技術には、特許文献１がある。
特許文献１に示すコップは、日本茶がコップの底部に固定されており、繰り返し使用することが不可能であると考えられる。
【０００４】
【特許文献１】登録実用新案第３０３９１３１号公報
【発明の開示】
【発明が解決しようとする課題】
【０００５】
本発明は、お湯や水を注入するだけでお茶を飲める湯飲みを提供することを目的とする。
【課題を解決するための手段】
【０００６】
上記課題を解決するために、本発明の湯飲みは、内部容器と外部容器を備えている。
内部容器、および、外部容器は、陶器、セラミック、金属、耐熱ガラス、プラスチック、シリコンなどで形成されている。
金属には、鉄、ステンレス、アルミニウムなどがある。
【０００７】
内部容器は、内部容器上縁部と内部容器第一側縁部と内部容器第二側縁部を有する。
内部容器上縁部は、内部容器の上縁に形成されている。
内部容器第一側縁部は、内部容器上縁部の下部に形成されているとともに、内表面に内部容器第一側縁内表面部を有し、外表面に内部容器第一側縁外表面部を有する。
内部容器第二側縁部は、内部容器第一側縁部の下部に形成されているとともに、内表面に内部容器第二側縁内表面部を有し、外表面に内部容器第二側縁外表面部を有し、内部容器第二側縁内表面部と内部容器第二側縁外表面部の間に内部容器第二側縁開口部が２以上形成されている。
【０００８】
外部容器は、外部容器側縁部と外部容器底面部を有する。
外部容器側縁部は、外部容器の側縁に形成されているとともに、内表面に外部容器側縁内表面部を有し、外表面に外部容器側縁外表面部を有する。
外部容器底面部は、外部容器側縁部の下部に形成されているとともに、内表面に外部容器底面内表面部を有し、外表面に外部容器底面外表面部を有する。
【０００９】
内部容器と外部容器は、内部容器第一側縁部が外部容器側縁部に嵌入することによって係合する。
内部容器と外部容器は、内部容器を外部容器に押し込んだり、ねじり込んで内部容器第一側縁部が外部容器側縁部に嵌入して係合する。
内部容器と外部容器は、内部容器と外部容器を引っ張ったり、ねじって内部容器第一側縁部が外部容器側縁部から分離して離脱する。
本発明の湯飲みでお茶を飲んでいる際に、内部容器と外部容器が離脱して外部容器からお茶が流出してお茶を飲んでいる人がやけどをしないようにするためには、内部容器と外部容器は、簡単に離脱しない程度の力で係合していなければならない。
【発明の効果】
【００１０】
本発明の湯飲みは、お茶の原材料を入れてお湯を注入するだけでお茶を飲むことができる。
また、本発明の湯飲みは、お茶の原材料を入れて水を注入するだけで水だしのお茶を飲むことができる。
【発明を実施するための最良の形態】
【００１１】
図面に基づいて発明を実施するための最良の形態を説明する。
【実施例１】
【００１２】
実施例１の湯飲み１は、図１、図２(ａ)(ｂ)に示すように、内部容器２と外部容器３を備えている。
内部容器、および、外部容器は、陶器、セラミック、金属、耐熱ガラス、プラスチック、シリコンなどで形成されている。
金属には、鉄、ステンレス、アルミニウムなどがある。
【００１３】
内部容器２は、図３(ａ)(ｂ)に示すように、内部容器上縁部２１と内部容器第一側縁部２２と内部容器第二側縁部２３を有する。
内部容器上縁部２１は、図３(ａ)(ｂ)に示すように、内部容器２の上縁に形成されているとともに、図３(ｂ)に示すように、下端に内部容器上縁下端部２１ａを有する。
内部容器第一側縁部２２は、図３(ａ)(ｂ)に示すように、内部容器上縁部２１の下部に形成されているとともに、図３(ｂ)、図４(ａ)(ｂ)に示すように、内表面に内部容器第一側縁内表面部２２ａを有し、外表面に内部容器第一側縁外表面部２２ｂを有する。
内部容器第二側縁部２３は、図３(ａ)(ｂ)に示すように、内部容器第一側縁部２２の下部に形成されているとともに、図３(ｂ)に示すように、内表面に内部容器第二側縁内表面部２３ａを有し、外表面に内部容器第二側縁外表面部２３ｂを有し、内部容器第二側縁内表面部２３ａと内部容器第二側縁外表面部２３ｂの間に内部容器第二側縁開口部２３ｃが２以上形成されている。
内部容器第二側縁部２３の形状は、図１、図２(ａ)(ｂ)、図３(ａ)(ｂ)、図４(ａ)(ｂ)では、略円錐形形状である。
しかし、内部容器第二側縁部２３の形状には、略だ円錐形形状、略三角錐形形状、略四角錐形形状、略五角錐形形状、略六角錐形形状などのありとあらゆる形状がありうる。
内部容器第二側縁開口部２３ｃの形状は、図１、図２(ａ)(ｂ)、図３(ａ)(ｂ)、図４(ａ)(ｂ)では、略円筒形形状である。
しかし、内部容器第二側縁開口部２３ｃの形状には、略だ円筒形形状、略三角筒形形状、略四角筒形形状、略五角筒形形状、略六角筒形形状などのありとあらゆる形状がありうる。
【００１４】
外部容器３は、図５(ａ)(ｂ)に示すように、外部容器側縁部３１と外部容器底面部３２を有する。
外部容器側縁部３１は、図５(ａ)(ｂ)に示すように、外部容器３の側縁に形成されているとともに、図５(ｂ)、図６(ａ)(ｂ)に示すように、上端に外部容器側縁上端部３１ａを有し、内表面に外部容器側縁内表面部３１ｂを有し、外表面に外部容器側縁外表面部３１ｃを有する。
外部容器底面部３２は、図５(ａ)(ｂ)に示すように、外部容器側縁部３１の下部に形成されているとともに、図５(ｂ)、図６(ａ)(ｂ)に示すように、内表面に外部容器底面内表面部３２ａを有し、外表面に外部容器底面外表面部３２ｂを有する。
【００１５】
内部容器２と外部容器３は、図７(ａ)(ｂ)、図８(ａ)(ｂ)に示すように、内部容器第一側縁部２２が外部容器側縁部３１に嵌入することによって係合する。
内部容器２と外部容器３は、内部容器２を外部容器３に押し込んだり、ねじり込むことによって内部容器第一側縁部２２が外部容器側縁部３１に嵌入して係合する。
内部容器２と外部容器３は、内部容器２と外部容器３を引っ張ったり、ねじることによって内部容器第一側縁部２２が外部容器側縁部３１から分離して離脱する。
実施例１の湯飲み１でお茶６を飲んでいる際に、内部容器２と外部容器３が離脱して外部容器３からお茶が流出してお茶６を飲んでいる人がやけどをしないようにするためには、内部容器２と外部容器３は、簡単に離脱しない程度の力で係合していなければならない。
【００１６】
図８(ａ)(ｂ)に示すように、内部容器第一側縁部２２が外部容器側縁部３１に嵌入すると、内部容器上縁下端部２１ａと外部容器側縁上端部３１ａが接触して係止するので、内部容器２が外部容器側縁内表面部３１ｂを滑り落ちて外部容器底面内面部３２ａまで転落しないようにすることができる。
内部容器上縁部２１の下端に内部容器上縁下端部２１ａが形成されていれば、内部容器上縁部２１の一部に、内部容器上縁凹部２１ｂが形成されていても、内部容器２は、外部容器側縁内表面部３１ｂを滑り落ちて外部容器底面内面部３２ａまで転落することはないので、内部容器上縁部２１の下端に内部容器上縁下端部２１ａが形成されていれば、図９(ａ)(ｂ)、図１０(ａ)(ｂ)に示すように、内部容器上縁部２１の一部に、内部容器上縁凹部２１ｂが形成されていてもよい。
【００１７】
実施例１の湯飲み１の使用方法について説明する。
図１１(ａ)に示すように、外部容器３にお茶の原材料４を入れる。
外部容器３にお茶の原材料４を入れると、図１１(ａ)に示すように、お茶の原材料４は、外部容器底面内面部３２ａの上に配置される。
お茶の原材料４には、日本茶、紅茶、中国茶、ハーブティなどのお茶の茶葉や麦茶用の麦やコーヒー豆などありとあらゆる種類のお茶の原材料がある。
【００１８】
外部容器３にお茶の原材料４を入れたら、図１１(ｂ)に示すように、内部容器２と外部容器３を係合する。
【００１９】
内部容器２と外部容器３を係合したら、図１１(ｃ)に示すように、内部容器２にお湯５を注入する。
図１１(ｃ)に示すように、お湯５を内部容器２に注入したら、お湯５は、内部容器第二側縁内表面部２３ａから内部容器第二側縁開口部２３ｃを通って内部容器第二側縁外表面部２３ｂに到達して、内部容器第二側縁外表面部２３ｂから内部容器２の外部に流出して、外部容器３に流入する。
図１１(ｃ)に示すように、お湯５は、外部容器３に流入すると、外部容器底面内面部３２ａの上に配置されたお茶の原材料４からお茶６を生成する。
お湯５が、お茶の原材料４からお茶６を生成すると、実施例１の湯飲み１の内部でお茶６を生成される。
お茶６には、日本茶、紅茶、中国茶、ハーブティ、麦茶、コーヒーなどありとあらゆる種類のお茶がある。
【００２０】
また、実施例１の湯飲み１は、図１２(ａ)に示すように、外部容器３にお茶の原材料４を入れて、外部容器底面内面部３２ａの上にお茶の原材料４を配置して、内部容器２を外部容器３に係合して、水７を注入したら、図１２(ｂ)に示すように、実施例１の湯飲み１の内部で水だしのお茶８を生成することもできる。
【００２１】
このほかに、実施例１の湯飲み１の内部でお茶６を生成する方法には、図１３(ａ)に示すように、外部容器３にお茶の原材料４を入れて、外部容器底面内面部３２ａの上にお茶の原材料４を配置して、内部容器２を外部容器３に係合して、水７を注入して、電子レンジに入れて、実施例１の湯飲み１に注入されている水７を電磁波で加熱する方法もある。
電子レンジで実施例１の湯飲み１に注入されている水７を電磁波で加熱して、お湯５にしたら、図１３(ｂ)に示すように、お茶の原材料４からお茶６を生成するので、実施例１の湯飲み１の内部でお茶６を生成することができる。
ただし、金属は電磁波を遮断するので、内部容器２、あるいは、外部容器３が、金属で形成されていると、実施例１の湯飲み１を電子レンジの内部に入れて、実施例１の湯飲み１に注入されている水７を電磁波で加熱することはできない。
【００２２】
実施例１の湯飲み１を傾ければ、内部容器上縁部２１から実施例１の湯飲み１の内部で生成したお茶６、あるいは、水だしのお茶８を飲むことができる。
実施例１の湯飲み１を傾けても、お茶の原材料４は、内部容器第二側縁外表面部２３ｂに接触するために、内部容器第二側縁外表面部２３ｂから内部容器第二側縁開口部２３ｃを通って内部容器第二側縁内表面部２３ａには流出しないので、内部容器上縁部２１から実施例１の湯飲み１の内部で生成したお茶６、あるいは、水だしのお茶８にお茶の原材料４が混じらないようにすることができる。
実施例１の湯飲み１を傾けたら、お茶の原材料４は、内部容器第二側縁外表面部２３ｂから内部容器第二側縁開口部２３ｃを通って内部容器第二側縁内表面部２３ａに流出して、実施例１の湯飲み１の内部で生成したお茶６、あるいは、水だしのお茶８に少し混じることがあるかもしれないが、実施例１の湯飲み１の内部で生成したお茶６、あるいは、水だしのお茶８を飲む際に、味わいや風味にはそれほど影響は与えないと考えられる。
【００２３】
実施例１の湯飲み１は、外部容器３にお茶の原材料４を入れて、内部容器２と外部容器３を係合して、やかんなどからお湯５を注入してお茶６を生成したり、水道などから水７を注入して水だしのお茶８を生成したり、水道などから水７を注入して電子レンジに入れて電磁波で加熱してお茶６を生成することができるので、実施例１の湯飲み１を使用すれば、急須を使わなくてもお茶６を飲むことや、冷水ポットを使わなくても水だしのお茶８を飲むことができる。
【００２４】
実施例１の湯飲み１の内部で生成したお茶６を飲んだら、図１４(ａ)に示すように、外部容器底面内面部３２ａの上には、茶殻９が残る。
外部容器底面内面部３２ａの上に残った茶殻９を棄てるためには、図１４(ｂ)に示すように、内部容器２を外部容器３から分離する。
内部容器２を外部容器３から分離したら、図１４(ｃ)に示すように、外部容器３を傾けて、外部容器側縁上端部３１ａが斜め下になるようにすれば、茶殻９を外部容器３の外部に棄てることができる。
外部容器側縁上端部３１ａを斜め下にしても外部容器３に茶殻９が残ったら、外部容器３に水７を入れて、外部容器側縁上端部３１ａが斜め下になるようにすれば、外部容器３に残った茶殻９を外部容器３の外部に棄てることができる。
実施例１の湯飲み１は、茶殻９を外部容器３の外部に棄てた後に、内部容器２と外部容器３を水洗いしてから、お茶の原料４を外部容器３の内部に入れて、内部容器２を外部容器３に係合して、やかんなどからお湯５を注入すればお茶６が生成され、水道などから水７を注入すれば水だしのお茶８が生成され、水道などから水７を注入して電子レンジに入れて電磁波で加熱すればお茶６が生成されるので、実施例１の湯飲み１は、お茶６や水だしのお茶８を飲むために繰り返し使用することができる。
ただし、茶殻９を外部容器３の外部に棄てた後に、実施例１の湯飲み１を繰り返し使用する前に、内部容器２と外部容器３は、必ずしも水洗いをしなければならないわけではない。
【実施例２】
【００２５】
実施例２の湯飲み１は、実施例１の湯飲み１の変形例である。
実施例２の湯飲み１は、図１５、図１６(ａ)(ｂ)、図１７(ａ)(ｂ)に示すように、内部容器底面部２４が、内部容器第二側縁部２３の下部に形成されている点が、実施例１の湯飲みと異なる。
内部容器底面部２４は、図１７(ｂ)、図１８(ａ)(ｂ)に示すように、内表面に内部容器底面内表面部２４ａを有し、外表面に内部容器底面外表面部２４ｂを有し、内部容器底面内表面部２４ａと内部容器底面外表面部２４ｂの間に内部容器底面開口部２４ｃが２以上形成されている。
【００２６】
内部容器第二側縁部２３、および、内部容器底面部２４の形状は、図１５、図１６(ａ)(ｂ)、図１７(ａ)(ｂ)、図１８(ａ)(ｂ)では、略円筒形形状である。
しかし、内部容器第二側縁部２３、および、内部容器底面部２４の形状は、略だ円筒形形状、略三角筒形形状、略四角筒形形状、略五角筒形形状、略六角筒形形状などのありとあらゆる形状がありうる。
内部容器底面開口部２４ｃの形状は、図１５、図１６(ａ)(ｂ)、図１７(ａ)(ｂ)、図１８(ａ)(ｂ)では、略円筒形形状である。
しかし、内部容器底面開口部２４ｃの形状には、略だ円筒形形状、略三角筒形形状、略四角筒形形状、略五角筒形形状、略六角筒形形状などのありとあらゆる形状がありうる。
【実施例３】
【００２７】
実施例３の湯飲み１は、実施例１の湯飲み１の変形例である。
実施例３の湯飲み１は、図１９(ａ)(ｂ)、図２０(ａ)(ｂ)に示すように、取っ手９が外部容器側縁外表面部３１ｂに形成されている点が実施例１の湯飲み１とは異なる。
実施例３の湯飲み１のように、取っ手９が外部容器側縁外表面部３１ｂに形成されていると、実施例１の湯飲み１よりも持ちやすくなる。
実施例１の湯飲み１でお茶６を飲む際には、お茶６によって加熱された外部容器側縁外表面部３１ｂを持たなければならないが、実施例３の湯飲み１のように、取っ手９が外部容器側縁外表面部３１ｂに形成されていれば、お茶６によって加熱された外部容器側縁外表面部３１ｂにあまり接触しないようにして、お茶６を飲むことができる。
【実施例４】
【００２８】
実施例４の湯飲み１は、実施例２の湯飲み１の変形例である。
実施例４の湯飲み１は、図２１(ａ)(ｂ)、図２２(ａ)(ｂ)に示すように、取っ手９が外部容器側縁外表面部３１ｂに形成されている点が実施例２の湯飲み１とは異なる。
実施例４の湯飲み１のように、取っ手９が外部容器側縁外表面部３１ｂに形成されていると、実施例２の湯飲み１よりも持ちやすくなる。
実施例１の湯飲み１でお茶６を飲む際には、お茶６によって加熱された外部容器側縁外表面部３１ｂを持たなければならないが、実施例４の湯飲み１のように、取っ手９が外部容器側縁外表面部３１ｂに形成されていれば、お茶６によって加熱された外部容器側縁外表面部３１ｂにあまり接触しないようにして、お茶６を飲むことができる。
【図面の簡単な説明】
【００２９】
【図１】実施例１の湯飲みの斜視図である。
【図２】実施例１の湯飲みの内部容器と外部容器の斜視図である。
【図３】(ａ)実施例１の湯飲みの内部容器の側面図である。(ｂ)実施例１の湯飲みの内部容器の側面断面図である。
【図４】(ａ)実施例１の湯飲みの内部容器の平面図である。(ｂ)実施例１の湯飲みの内部容器の底面図である。
【図５】(ａ)実施例１の湯飲みの外部容器の側面図である。(ｂ)実施例１の湯飲みの外部容器の側面断面図である。
【図６】(ａ)実施例１の湯飲みの外部容器の平面図である。(ｂ)実施例１の湯飲みの外部容器の底面図である。
【図７】(ａ)実施例１の湯飲みの内部容器と外部容器が係合する前の状態の状態を示す斜視図である。(ｂ)実施例１の湯飲みの内部容器と外部容器が係合した後の状態を示す斜視図である。
【図８】(ａ)実施例１の湯飲みの内部容器と外部容器が係合する前の状態の側面断面図である。(ｂ)実施例１の湯飲みの内部容器と外部容器が係合した後の側面断面図である。
【図９】(ａ)実施例１の湯飲みの内部容器上縁部に凹部が形成されている内部容器の側面図である。(ｂ)実施例１の湯飲みの内部容器上縁部に凹部が形成されている内部容器の側面断面図である。
【図１０】(ａ)実施例１の湯飲みの内部容器上縁部に図９とは異なる凹部が形成されている内部容器の側面図である。(ｂ)実施例１の湯飲みの内部容器上縁部に図９とは異なる凹部が形成されている内部容器の側面断面図である。
【図１１】(ａ)実施例１の湯飲みの外部容器にお茶の原材料が入ってる状態を示す側面断面図である。(ｂ)お茶の原材料が入ってる実施例１の湯飲みの外部容器に内部容器が係合した状態を示す側面断面図である。(ｃ)お茶の原材料が入ってる実施例１の湯飲みにお湯が注入されることによってお茶が生成された状態を示す側面断面図である。
【図１２】(ａ)お茶の原材料が入ってる実施例１の湯飲みに水が注入された状態を示す側面断面図である。(ｂ)実施例１の湯飲みの中で水だしのお茶が生成された状態を示す側面断面図である。
【図１３】(ａ)お茶の原材料が入ってる実施例１の湯飲みに水が注入された状態を示す側面断面図である。(ｂ)お茶の原材料と水が入ってる実施例１の湯飲みを電子レンジで加熱して実施例１の湯飲みの中でお茶が生成された状態を示す側面断面図である。
【図１４】(ａ)実施例１の湯飲みに茶殻が残っている状態を示す側面断面図である。(ｂ)茶殻が残っている実施例１の湯飲みから内部容器を分離した状態を示す側面断面図である。(ｃ)茶葉が入ってる実施例１の湯飲みの外部容器を傾けて茶殻を棄てている状態を示す側面断面図である。
【図１５】実施例２の湯飲みの斜視図である。
【図１６】実施例２の湯飲みの内部容器と外部容器の斜視図である。
【図１７】(ａ)実施例２の湯飲みの内部容器の側面図である。(ｂ)実施例２の湯飲みの内部容器の側面断面図である。
【図１８】(ａ)実施例２の湯飲みの内部容器の平面図である。(ｂ)実施例２の湯飲みの内部容器の底面図である。
【図１９】実施例３の湯飲みの斜視図である。
【図２０】実施例３の湯飲みの内部容器と外部容器の斜視図である。
【図２１】実施例４の湯飲みの斜視図である。
【図２２】実施例４の湯飲みの内部容器と外部容器の斜視図である。
【符号の説明】
【００３０】
１        湯飲み      
２        内部容器
２１      内部容器上縁部
２１ａ    内部容器上縁下端部
２１ｂ    内部容器上縁凹部    
２２      内部容器第一側縁部
２２ａ    内部容器第一側縁内表面部
２２ｂ    内部容器第一側縁外表面部
２３      内部容器第二側縁部
２３ａ    内部容器第二側縁内表面部
２３ｂ    内部容器第二側縁外表面部
２３ｃ    内部容器第二側縁開口部  
２４      内部容器底面部
２４ａ    内部容器底面内表面部
２４ｂ    内部容器底面外表面部
２４ｃ    内部容器底面開口部
３        外部容器 
３１      外部容器側縁部
３１ａ    外部容器側縁上端部
３１ｂ    外部容器側縁内表面部
３１ｃ    外部容器側縁外表面部
３２      外部容器底面部
３２ａ    外部容器底面内表面部
３２ｂ    外部容器底面外表面部
４        お茶の原材料
５        お湯
６        お茶
７        水
８        水だしのお茶
９        茶殻
【図１】
2013158510.tif 000003
【図２】
2013158510.tif 000004
【図３】
2013158510.tif 000005
【図４】
2013158510.tif 000006
【図５】
2013158510.tif 000007
【図６】
2013158510.tif 000008
【図７】
2013158510.tif 000009
【図８】
2013158510.tif 000010
【図９】
2013158510.tif 000011
【図１０】
2013158510.tif 000012
【図１１】
2013158510.tif 000013
【図１２】
2013158510.tif 000014
【図１３】
2013158510.tif 000015
【図１４】
2013158510.tif 000016
【図１５】
2013158510.tif 000017
【図１６】
2013158510.tif 000018
【図１７】
2013158510.tif 000019
【図１８】
2013158510.tif 000020
【図１９】
2013158510.tif 000021
【図２０】
2013158510.tif 000022
【図２１】
2013158510.tif 000023
【図２２】
2013158510.tif 000024